(57)【要約】【課題】捕虫器の消耗品交換や清掃等を容易に行うことのできる吊持装置を提供する。【解決手段】天井に固定される枠体２と、捕虫器Ａを吊持するためのワイヤー８ａ，８ｂを巻取・引出可能に保持し、枠体２に配設される自動巻取式のワイヤー巻取装置６と、捕虫器Ａに電力を供給するための電気コード１０を巻取・引出可能に保持し、枠体２に配設される自動巻取式のコード巻取装置７とにより吊持装置１を構成し、吊持された捕虫器Ａを下方に引っ張ると、ワイヤー８ａ，８ｂと電気コード１０が同時に引き出されて捕虫器Ａが下降するようにした。かかる構成にあっては、作業者が高所に上ることなく、消耗品交換や清掃等の作業を行うことが可能となる。【選択図】図１
0003151480.tif 000002
【実用新案登録請求の範囲】
【請求項１】
ハウジングに誘虫ランプを配設してなる捕虫器を吊持する捕虫器の吊持装置であって、
天井に固定される枠体と、
捕虫器を吊持するためのワイヤーを巻取・引出可能に保持し、前記枠体に配設される自動巻取式のワイヤー巻取装置と、
捕虫器に電力を供給するための電気コードを巻取・引出可能に保持し、前記枠体に配設される自動巻取式のコード巻取装置とを備え、
吊持した捕虫器が下方に引っ張られると、ワイヤー巻取装置からワイヤーが引き出されるとともに、コード巻取装置から電気コードが引き出され、吊持した捕虫器が下降することを特徴とする捕虫器の吊持装置。
【請求項２】
前記ワイヤー巻取装置は、ワイヤーを巻回するリールと、ワイヤーを巻き取る方向に該リールを付勢するぜんまいとをケーシングに収容してなり、さらに、前記リールの、前記ぜんまいの付勢方向への回転を阻止する制動状態と、該付勢方向への回転を許容する解除状態とに変換される制動機構とを備えるものであり、
前記制動機構は、ワイヤーが長く引き出された時に制動状態に変換され、ワイヤーが軽く引き出された時に解除状態に変換されるものであることを特徴とする請求項１記載の捕虫器の吊持装置。
【請求項３】
前記ワイヤー巻取装置と前記コード巻取装置は一体化されて、前記枠体に取り付けられていることを特徴とする請求項１又は請求項２に記載の捕虫器の吊持装置。
【請求項４】
前記枠体は杆状をなし、一側に前記ワイヤー巻取装置が配設され、他側にワイヤーをかける滑車が配設されたものであり、
前記ワイヤー巻取装置のリールには２本のワイヤーが巻回されており、該リールの回転によって各ワイヤーが同じ長さずつ巻き取られるよう構成されており、
前記２本のワイヤーのうち１本は、ワイヤー巻取装置のケーシングから直接垂下しており、残り１本は、前記ケーシングから前記滑車を経由して、前記枠体の他側から垂下していることを特徴とする請求項２又は請求項３に記載の捕虫器の吊持装置。
【考案の詳細な説明】
【技術分野】
【０００１】
本考案は、誘虫ランプを備えた捕虫器を天井から吊り下げるのに用いる吊持装置に関する。
【背景技術】
【０００２】
天井から吊り下げられるハウジングに誘虫ランプを配設してなり、誘引された虫を粘着シートで捕まえたり、電撃で殺して捕獲したりする捕虫器が知られている（例えば特許文献１）。従来、こうした捕虫器は、ハウジングの上部に鎖を連結し、さらに鎖の上端を天井に打ち込んだヒートン等に連結することで、人の邪魔にならないように高所に吊り下げられていた。また、捕虫器の電力は、天井から垂れ下げた電気コードを介して供給していた。
【先行技術文献】
【特許文献】
【０００３】
【特許文献１】特開２００６−８７３７１号公報
【考案の概要】
【考案が解決しようとする課題】
【０００４】
前記捕虫器では、誘虫ランプ等の消耗品の交換作業や、捕獲した虫を除去する清掃作業などを定期的に行う必要がある。従来、かかる作業は、捕虫器が吊持された高所に作業者が上って作業していた。このため、作業に当たっては脚立が必須であり、安全確保のため脚立を押さえる人も必要であった。また、高所での作業は低所に比べて動きが制限されるため時間と手間を要し、道具や交換部品を高所に持って上がる手間や、道具や交換部品を落としてしまった時に拾い上げる手間も煩雑であった。
【０００５】
本考案は、かかる現状に鑑みてなされたものであり、捕虫器の消耗品交換や清掃を容易に行うことのできる捕虫器の吊持装置の提供を目的とする。
【課題を解決するための手段】
【０００６】
本考案は、ハウジングに誘虫ランプを配設してなる捕虫器を吊持する捕虫器の吊持装置であって、天井に固定される枠体と、捕虫器を吊持するためのワイヤーを巻取・引出可能に保持し、前記枠体に配設される自動巻取式のワイヤー巻取装置と、捕虫器に電力を供給するための電気コードを巻取・引出可能に保持し、前記枠体に配設される自動巻取式のコード巻取装置とを備え、吊持した捕虫器が下方に引っ張られると、ワイヤー巻取装置からワイヤーが引き出されるとともに、コード巻取装置から電気コードが引き出され、吊持した捕虫器が下降することを特徴とする捕虫器の吊持装置である。
【０００７】
かかる構成にあっては、高所に吊り下げられた捕虫器を手や鉤付き棒などで引張れば、ワイヤーと電気コードが同時に引き出されることとなり、吊持された捕虫器を高所から低所へ引き下げることができる。したがって、かかる吊持装置によれば、作業者は高所に上ることなく、高所に吊持された捕虫器を一時的に下降させることができ、消耗品交換や清掃等の作業を低所で行うことが可能となる。また、作業終了後は、ワイヤー巻取装置の自動巻取りによって、作業者は高所に上ることなく捕虫器を上昇させることができる。この時、電気コードも同時にコード巻取装置に巻き取らせるようにすれば、捕虫器が上昇しても電気コードが弛むことがない。
【０００８】
本考案の捕虫器の吊持装置にあって、前記ワイヤー巻取装置は、ワイヤーを巻回するリールと、ワイヤーを巻き取る方向に該リールを付勢するぜんまいとをケーシングに収容してなり、さらに、前記リールの、前記ぜんまいの付勢方向への回転を阻止する制動状態と、該付勢方向への回転を許容する解除状態とに変換される制動機構とを備えるものであり、前記制動機構は、ワイヤーが長く引き出された時に制動状態に変換され、ワイヤーが軽く引き出された時に解除状態に変換されるものであることが提案される。
【０００９】
かかる構成にあっては、ワイヤー巻取装置の制動機構によって捕虫器を任意の高さに留めることが可能となる。また、この制動機構は捕虫器の引下げ操作によって制動状態と解除状態に変換できるため、作業者は低所からでも捕虫器の高さを調整可能となる。
【００１０】
また、本考案の捕虫器の吊持装置にあって、前記ワイヤー巻取装置と前記コード巻取装置は一体化されて、前記枠体に取り付けられている構成が提案される。かかる構成にあっては、ワイヤー巻取装置とコード巻取装置の構造をコンパクトにすることができる。
【００１１】
また、本考案の捕虫器の吊持装置にあって、前記枠体は杆状をなし、一側に前記ワイヤー巻取装置が配設され、他側にワイヤーをかける滑車が配設されたものであり、前記ワイヤー巻取装置のリールには２本のワイヤーが巻回されており、該リールの回転によって各ワイヤーが同じ長さずつ巻き取られるよう構成されており、前記２本のワイヤーのうち１本は、ワイヤー巻取装置のケーシングから直接垂下しており、残り１本は、前記ケーシングから前記滑車を経由して、前記枠体の他側から垂下している構成が提案される。かかる構成にあっては、枠体の両側から垂下する２本のリールによって捕虫器を安定に吊持できる。また、２本のリールは同じ長さずつ巻き取られるため、捕虫器を昇降させる際に捕虫器が傾くことがない。
【考案の効果】
【００１２】
本考案の吊持装置によれば、手や鉤付き棒などで引っ張ることによって高所に吊り下げられた捕虫器を、高所に上ることなく引き下げることができ、作業者は高所に上ることなく捕虫器の消耗品交換や清掃を実施可能となる。また、作業終了後は、ワイヤー巻取装置にワイヤーを自動的に巻き取らせることによって、高所に上ることなく、捕虫器を高所まで適切に上昇させることができる。このため、本考案によれば、捕虫器の消耗品交換や清掃等の作業を簡単かつ迅速に行うことが可能となる。
【図面の簡単な説明】
【００１３】
【図１】実施例の吊持装置１及び捕虫器Ａの斜視図である。
【図２】実施例の吊持装置１及び捕虫器Ａの正面図である。
【図３】巻取ユニット３の分解斜視図である。
【図４】捕虫器Ａを下降させる操作を示す説明図である。
【図５】捕虫器Ａを上昇させる操作を示す説明図である。
【考案を実施するための形態】
【００１４】
本考案の実施形態を、以下の実施例に従って説明する。
【００１５】
図１は、本実施例の捕虫器の吊持装置１と、該吊持装置１に吊り下げられた捕虫器Ａの斜視図であり、図２はそれらの正面図である。吊持装置１は、天井に固定される枠体２と、該枠体２に取り付けられた巻取ユニット３とを備えてなる。
【００１６】
枠体２は、捕虫器Ａの幅より長尺な杆状のスチール製板片からなる。枠体２は、長尺方向に沿った複数の溝孔４を備えており、該溝孔４に固定用ネジを挿通することによって天井に固定される。
【００１７】
枠体２の下面には、一側に巻取ユニット３が取り付けられ、他側にはワイヤー８ｂを引っ掛ける滑車５が取り付けられる。
【００１８】
巻取ユニット３は、図１〜３に示すように、捕虫器Ａを吊持するための２本のワイヤー８ａ，８ｂを巻取・引出可能に保持する自動巻取式のワイヤー巻取装置６と、捕虫器Ａに電力を供給するための電気コード１０を巻取・引出可能に保持する自動巻取式のコード巻取装置７とを、夫々のケーシング２０，３０を接合することにより一体化してなるものである。
【００１９】
ワイヤー巻取装置６は、図３に示すように、２本のワイヤー８ａ，８ｂを巻回するリール２１をケーシング２０に回転可能に収容してなるものである。各ワイヤー８ａ，８ｂの端部には、捕虫器Ａと連結するための連結具９がそれぞれ配設される。この連結具９は、シャックルなどの既知の連結具を用いることができる。図１，２に示すように、一方のワイヤー８ａは、ケーシング２０の底部から外部に繰り出され、そのまま垂下している。また、他方のワイヤー８ｂは、ケーシング２０の側部から繰り出され、前記滑車５を経由して枠体２の他側から垂下している。
【００２０】
ワイヤー巻取装置６は、リール２１の内部にぜんまい２２を具備している。ぜんまい２２は、捕虫器Ａを引き上げ得る強い力で、各ワイヤー８ａ，８ｂを巻き取る方向にリール２１を付勢する。また、ワイヤー巻取装置６には、ぜんまい２２の付勢方向（巻取方向）にリール２１が回転するのを制動する制動機構が設けられている。この制動機構は、図３に示すように、リール２１に傾動可能に装着された係止ピン２４と、ケーシング２０に形成された摺動溝２５とで構成される。係止ピン２４は摺動溝２５に嵌合しており、係止ピン２４の嵌合位置によって制動状態と解除状態に変換される。制動機構の制動状態では、係止ピン２４が摺動溝２５の端部と係合することによって、ぜんまい２２の付勢方向へのリール２１の回転が阻止される。一方、制動機構の解除状態にあっては、係止ピン２４が摺動溝２５のループ部分を摺動可能となることによって、ぜんまい２２の付勢方向へのリール２１の回転が許容される。制動状態と解除状態は、ぜんまい２２の付勢方向と逆向きにリール２１を回転することによって変換される。具体的には、リール２１を付勢方向と逆向きに所定角度以上回転すると制動状態となり、リール２１を付勢方向と逆向きにわずかに回転すると解除状態となる。かかる制動機構は、周知の制動機構によって実現されるため、詳細な説明は省略する。
【００２１】
かかるワイヤー巻取装置６にあっては、ぜんまい２２の付勢力に抗してワイヤー８ａ，８ｂを引っ張ると、リール２１がワイヤー８ａ，８ｂを繰り出す方向に回転し、ワイヤー８ａ，８ｂが同じ長さずつ引き出される。ワイヤー８ａ，８ｂを長く引き出した後に放した場合には、制動機構が制動状態であるため、リール２１は巻取方向へ回転せず、ワイヤー８ａ，８ｂは引き出された状態で停止する。一方、ワイヤー８ａ，８ｂを軽く引き出してからワイヤー８ａ，８ｂを放した場合には、制動機構は解除状態となるため、ぜんまい２２の付勢力によってリール２１が連続回転し、引き出されたワイヤー８ａ，８ｂはリール２１に同じ長さずつ自動的に巻き取られることとなる。
【００２２】
コード巻取装置７は、図３に示すように、ワイヤー巻取装置６と同様の構造を有している。すなわち、コンセント１１を備えた電気コード１０を巻回するリール３１をケーシング３０に回転可能に収容し、ケーシング３０の底部から電気コード１０を垂下させている。また、リール３１は、ぜんまい３２によって電気コード１０を巻き取る方向に付勢される。また、コード巻取装置７には、リール３１の巻取方向への回転を制動する制動機構が設けられている。この制動機構は、前記ワイヤー巻取装置６と同様に係止ピン３４と摺動溝３５とで構成されるものである。また、ケーシング３０の外側には、外部電源に接続するためのプラグ１３を備えた電気コード１２が配設される。そして、ケーシング３０の内部には、該電気コード１２と、リール３１に巻回された電気コード１０とを電気的に接続する接触部３６が配設される。
【００２３】
かかるコード巻取装置７にあっては、ぜんまい３２の付勢力に抗して電気コード１０を引っ張ると、リール３１が電気コード１０を繰り出す方向に回転し、電気コード１０が引き出される。電気コード１０を長く引き出した後に放した場合には、制動機構が制動状態であるため、引き出された電気コード１０はその状態で停止する。一方、電気コード１０を軽く引き出してから電気コード１０を放した場合には、制動機構が解除状態となるため、ぜんまい３２の付勢力によってリール３１が連続回転し、引き出された電気コード１０が自動的に巻き取られることとなる。かかるコード巻取装置７は、炊飯器等に用いられる周知のコード巻取装置と同様の構造であるため、詳細な説明は省略する。
【００２４】
捕虫器Ａは、図１，２に示すように、誘虫ランプＣと粘着シートＤをハウジングＢ内に配設してなるものである。ハウジングＢは、ステンレス板を幅広な箱型に組み付けてなり、前後方向に開口する誘引領域Ｆの内部に、誘虫ランプＣと粘着シートＤとが設けられる。ハウジングＢの上部両側にはワイヤー連結部Ｅ，Ｅが設けられており、吊持装置１のワイヤー８ａ，８ｂの各連結具９をこのワイヤー連結部Ｅに連結することにより、捕虫器Ａを天井から吊り下げるようになっている。
【００２５】
誘虫ランプＣは、直管状蛍光灯により構成されており、誘引領域Ｆの両側上部に設けられたソケットＧ，Ｇに着脱可能に取り付けられる。ハウジングＢの内部には、誘虫ランプＣを点灯させるための点灯装置（図示省略）が配設される。ハウジングＢの一側上部には先端にプラグＪを備えた電気コードＫが配設されており、該電気コードＫを吊持装置１の電気コード１０と接続することによって点灯装置に電力が供給される。
【００２６】
粘着シートＤは、一面に粘着剤を配した帯状シートで構成され、両端に取り付けられた結合部材Ｈ，Ｈを、誘引領域Ｆの両側に形成されたシート取付溝（図示省略）に係合することにより幅方向に着脱可能に張設される。
【００２７】
次に、前記吊持装置１を用いた捕虫器Ａの昇降操作について説明する。図４（ａ）は、捕虫器Ａを、人の邪魔とならないように、天井Ｔから高所に吊り下げた状態を示す。かかる状態では、ワイヤー巻取装置６の制動機構は制動状態にあり、捕虫器Ａは天井Ｔと平行に傾きのない状態で吊り下げられる。また、コード巻取装置７の制動機構も制動状態にあり、電気コード１０は弛みのない状態で保持される。
【００２８】
図４（ａ）のように高所に吊り下げられた捕虫器Ａについて清掃や消耗品交換を行う場合には、手が届く場合は手で、又は手が届かない場合は鉤付き棒などを用いてハウジングＢを下方に引っ張る。かかる操作により、図４（ｂ）に示すように、ワイヤー巻取装置６からワイヤー８ａ，８ｂが引き出されるとともに、コード巻取装置７から電気コード１０が引き出され、捕虫器Ａを下降させることができる。そして、作業を容易に行い得る高さまで捕虫器Ａを下降させた時点で操作を停止すれば、ワイヤー巻取装置６の制動機構は制動状態にあるため、捕虫器Ａはその高さで停止する。なお、かかる捕虫器Ａの下降操作の際には、ワイヤー巻取装置６から２本のワイヤー８ａ，８ｂが同じ長さ引き出されるため、捕虫器Ａが傾くことがない。
【００２９】
図４（ｂ）のように、捕虫器Ａを下降させた状態で捕虫器Ａの清掃や消耗品交換を行った後は、捕虫器Ａを再び元の位置に復帰させる。具体的には、図５（ｃ）に示すように、捕虫器Ａを軽く引き下げて、ワイヤー８ａ，８ｂ及び電気コード１０を軽く引き出すことによって、ワイヤー巻取装置６及びコード巻取装置７の制動機構を解除状態とし、ワイヤー巻取装置６のぜんまい２２の力によって捕虫器Ａを上昇させる。この時、図５（ｄ）に示すように、一旦、捕虫器Ａを元の位置より高く上昇させてから、図５（ｅ）のように元の位置まで引き下げることにより、ワイヤー巻取装置６及びコード巻取装置７の制動機構を制動状態にしてから捕虫器Ａを元の高さで停止させる。かかる操作の際には、コード巻取装置７が電気コード１０を自動的に巻き取るため、下降時に引き出された電気コード１０が弛んで垂れ下がることがない。また、ワイヤー巻取装置６は２本のワイヤー８ａ，８ｂを同じ長さずつ巻き取るため、上昇中に捕虫器Ａが傾くことがない。
【００３０】
このように、本実施例の吊持装置１によれば、高所に吊持した捕虫器Ａを容易に低所に引き下げることができ、また、引き下げた捕虫器Ａを高所に上昇させることができる。このため、作業者は、捕虫器Ａの清掃や消耗品交換等の作業を高所に上らずに、低所において短時間で簡単に済ませることができる。
【００３１】
具体的には、従来のように、脚立に上って高所で作業を行う場合には、安全確保のため一人が脚立を押さえる必要があるが、低所であればかかる作業を一人で行える。また、脚立の上で作業する場合には、補修道具や交換部品を高所に持って上がらなければならず、補修道具や交換部品を落としてしまうと拾い上げる手間が煩雑であったが、低所で作業すればこうした手間も解消される。
【００３２】
また、本実施例の吊持装置によれば、任意の高さで捕虫器を吊り下げることができ、その際に電気コードが弛んで邪魔になることもない。このため、メンテナンス作業を行う場合だけでなく、捕虫器の使用位置を変更することにも使用できる。例えば、捕虫器は低所に設置した方が虫を捕獲し易いので、本実施例の吊持装置を用いて、人の往来のない時は捕虫器を低所に吊り下げて使用し、人の往来がある時は邪魔にならないよう高所で使用するといった使い方も可能となる。
【００３３】
また、本実施例の吊持装置１は、巻取ユニット３を枠体２に直接固定しているため、巻取ユニット３が重量であっても捕虫器Ａの吊り下げに影響せず、捕虫器Ａを安定に吊持できるという利点もある。
【００３４】
また、本実施例の吊持装置１では、２本のワイヤー８ａ，８ｂによって捕虫器Ａを２箇所で吊り下げる構成であるため、捕虫器Ａを安定に吊持できる。また、２本のワイヤー８ａ，８ｂは、同じリール２１によって同じ長さずつ巻き取られるため、捕虫器Ａを昇降する際に捕虫器Ａが傾くことがない。また、ワイヤー８ａ，８ｂが２本であっても１つのワイヤー巻取装置６で済ませられるといった利点もある。
【００３５】
また、本実施例にあっては、ワイヤー巻取装置６とコード巻取装置７とが巻取ユニット３として一体化されて枠体２に取り付けられているため、構造がコンパクトで、容易に製造できるという利点がある。
【００３６】
なお、本考案の捕虫器の吊持装置は、前記実施例の形態に限らず本考案の要旨を逸脱しない範囲内において種々変更を加えることができる。例えば、実施例で示した捕虫器は、粘着シートにより虫を捕獲するものであるが、本考案の吊持装置は、かかるタイプの捕虫器に限らず、例えば、電撃により虫を殺傷して捕獲するタイプの捕虫器も吊り下げることができる。また、ワイヤー巻取装置及びコード巻取装置は、実施例の構成に限らず、ワイヤーや電気コードを巻取・引出可能に保持する自動巻取式のものを広く採用できる。また、実施例におけるコード巻取装置７には制動機構が設けられていたが、プラグＪをコンセント１１から脱落しないようにロックする構成とすれば制動機構は不要である。
【符号の説明】
【００３７】
１  吊持装置
２  枠体
３  巻取ユニット
５  滑車
６  ワイヤー巻取装置
７  コード巻取装置
８ａ，８ｂ  ワイヤー
１０，１２  電気コード
２０  ケーシング
２１  リール
２２  ぜんまい
２４  係止ピン
２５  摺動溝
Ａ  捕虫器
Ｂ  ハウジング
Ｃ  誘虫ランプ
Ｄ  粘着シート
Ｅ  ワイヤー連結部
Ｋ  電気コード
【図１】
0003151480.tif 000003
【図２】
0003151480.tif 000004
【図３】
0003151480.tif 000005
【図４】
0003151480.tif 000006
【図５】
0003151480.tif 000007